(57)【要約】      （修正有）【課題】  専用の高価な部品を付加することなく、スキャンの最中に退屈感、空白感などを感じさせずに利用者の興味を引くことができる画像読取装置を提供する。【解決手段】  透明原稿台を保持し、線状光源を収納する外装体の上面縁部もしくは側面部、または押さえカバーの上面縁部に、線状光源が移動する副走査方向に沿って連続的または断続的に窓部を設け、線状光源から該窓部へ導かれた光を窓部から外部へ発光させるようにした。また、透過原稿を読み取る画像読取装置において、透過光照明ユニットの外装体の上面部に、透過光照明ユニットの内部から光学系により導かれた光を外部へ発光する窓部を設けるか、透過光照明ユニットの外装体の一部または全体を光透過性樹脂材で形成し、内部に配置された光源からの光が透過することにより外部へ発光させるようにした。【選択図】  図５
2006246042.tif 000002
【特許請求の範囲】
【請求項１】
透明原稿台の上に載置された反射原稿に対して副走査方向に線状光源を移動させながら光を照射し、反射原稿からの反射光をラインセンサに結像させて副走査方向と直交する主走査方向に光学像を読み取り、該光学像を電気信号に変換する画像読取装置であって、
透明原稿台を保持し、線状光源を収納する外装体の上面縁部もしくは側面部、または反射原稿を上方から押さえる開閉可能な押さえカバーの上面縁部に、線状光源が移動する副走査方向に沿って連続的または断続的に窓部が設けられ、
前記窓部は、副走査方向に移動する線状光源から該窓部へ直接に導かれるか、あるいは副走査方向に移動する線状光源からの光を該窓部へ導く光学系により線状光源から導かれた副走査方向に移動する光を外部へ発光することを特徴とする画像読取装置。
【請求項２】
透明原稿台の上に載置された透過原稿に対して、透明原稿台の上方に配置された透過光照明ユニットからの光を照射し、副走査方向にラインセンサを移動させながら透過原稿からの透過光をラインセンサに結像させて副走査方向と直交する主走査方向に光学像を読み取り、該光学像を電気信号に変換する画像読取装置であって、
透過光照明ユニットの外装体の上面部に、透過光照明ユニットの内部に配置された光源から光学系により導かれた光を外部へ発光する窓部が設けられていることを特徴とする画像読取装置。
【請求項３】
透明原稿台の上に載置された透過原稿に対して、透明原稿台の上方に配置された透過光照明ユニットからの光を照射し、副走査方向にラインセンサを移動させながら透過原稿からの透過光をラインセンサに結像させて副走査方向と直交する主走査方向に光学像を読み取り、該光学像を電気信号に変換する画像読取装置であって、
透過光照明ユニットの外装体の一部または全体が光透過性樹脂材で形成され、前記光透過性樹脂材で形成された部位が、透過光照明ユニットの内部に配置された光源からの光が透過することにより外部へ発光することを特徴とする画像読取装置。
【請求項４】
透明原稿台の上に載置された透過原稿に対して、透明原稿台の上方に配置された透過光照明ユニットの副走査方向へ移動可能な線状光源から光を照射し、該線状光源の副走査方向への移動に同期させてラインセンサを副走査方向に移動させながら透過原稿からの透過光をラインセンサに結像させて副走査方向と直交する主走査方向に光学像を読み取り、該光学像を電気信号に変換する画像読取装置であって、
透過光照明ユニットの外装体の上面部に、線状光源が移動する副走査方向に沿って連続的または断続的に窓部が設けられ、
前記窓部は、副走査方向に移動する線状光源から該窓部へ直接に導かれるか、あるいは副走査方向に移動する線状光源からの光を該窓部へ導く光学系により線状光源から導かれた副走査方向に移動する光を外部へ発光することを特徴とする画像読取装置。
【発明の詳細な説明】
【技術分野】
【０００１】
本発明は、反射原稿、あるいは反射原稿と透過原稿の両方を読み取り可能な画像読取装置に関する。
【背景技術】
【０００２】
紙原稿、雑誌、写真などの画像を電子データとして読み取るスキャナとして、いわゆるフラットベッドスキャナが汎用されている。フラットベッドスキャナは、透明原稿台（プラテンガラス）の上に反射原稿を載置し、その上に押さえカバーを配置した状態で、透明原稿台の下方に設けられた蛍光管、ＬＥＤなどで構成された線状光源を副走査方向に移動させながら反射原稿に対して光を照射し、反射原稿からの反射光を光学系によりラインセンサに導いて結像させ、ラインセンサが主走査方向に光学像を読み取ることによって反射原稿の画像データを得るように構成されている（特許文献１）。
【０００３】
また、上位機種などでは、３５ｍｍフィルムなどの透過原稿の画像を電子データとして読み取る機能を有するものがある。このタイプのスキャナには、透明原稿台の上方に透過光照明ユニットが取り付けられる。透過光照明ユニットには、透過原稿を背面から照明する面発光部が設けられており、透明原稿台の上に載置された透過原稿に対して面発光部からの光を照射し、透明原稿台の下方に設けられたラインセンサを副走査方向に移動させながら透過原稿からの透過光をラインセンサに結像させて主走査方向に光学像を読み取り、この光学像を電気信号に変換することによって透過原稿の画像データを得るように構成されている（特許文献２）。
【０００４】
最近では、スキャナ機能、複写機能、プリント機能などを合わせ持つ複合機が家庭用に市販されているが、この複合機にも透過原稿を読み取り可能な機種がある。
【特許文献１】特開２００３−１２５１７６号公報
【特許文献２】特開２００４−３６３８９５号公報
【発明の開示】
【発明が解決しようとする課題】
【０００５】
従来のこうしたスキャナでは、画像を読み取るためのスキャンに数秒の時間を要する。このためスキャナの利用者は、スキャンが行われている最中は、スキャンが終了するまでの数秒の間待機する必要があるが、待機時に利用者が退屈感、空白感などを感じる場合がある。このため、スキャンの最中に利用者を注目させ、何らかの良好な意識を与える機能があれば付加価値を向上することができ好ましい。しかし、コストの制約があるため、従来のスキャナの構造を活かして簡便な変更でこのような効果が得られるようにすることが要求される。
【０００６】
本発明は、フラットベッドタイプの構成でスキャンを行う画像読取装置において、専用の高価な部品を付加することなく、スキャンの最中に退屈感、空白感などを感じさせずに利用者の興味を引くことができる画像読取装置を提供することを目的としている。
【課題を解決するための手段】
【０００７】
本発明の画像読取装置は、透明原稿台の上に載置された反射原稿に対して副走査方向に線状光源を移動させながら光を照射し、反射原稿からの反射光をラインセンサに結像させて副走査方向と直交する主走査方向に光学像を読み取り、該光学像を電気信号に変換する画像読取装置であって、
透明原稿台を保持し、線状光源を収納する外装体の上面縁部もしくは側面部、または反
射原稿を上方から押さえる開閉可能な押さえカバーの上面縁部に、線状光源が移動する副走査方向に沿って連続的または断続的に窓部が設けられ、
前記窓部は、副走査方向に移動する線状光源から該窓部へ直接に導かれるか、あるいは副走査方向に移動する線状光源からの光を該窓部へ導く光学系により線状光源から導かれた副走査方向に移動する光を外部へ発光することを特徴とする。
【０００８】
上記の発明では、スキャンが開始されると、押さえカバーまたはスキャナ本体の外装体に設けられた窓部が発光し、この窓部から発光する光はスキャンの進行とともにスキャンの方向（副走査方向）に移動する。
【０００９】
この移動する光はスキャナの利用者を注目させ、移動する光を眺めることによって、スキャンの最中に退屈感、空白感などを感じさせることがなく、利用者に良好な意識を与えることができる。
【００１０】
さらに、反射原稿を照明する移動光源を利用して、この光源からの光を窓部に導いて発光させているので、専用の高価な部品を付加する必要がなく、コストの増加を抑えることができる。
【００１１】
本発明の画像読取装置は、透明原稿台の上に載置された透過原稿に対して、透明原稿台の上方に配置された透過光照明ユニットからの光を照射し、副走査方向にラインセンサを移動させながら透過原稿からの透過光をラインセンサに結像させて副走査方向と直交する主走査方向に光学像を読み取り、該光学像を電気信号に変換する画像読取装置であって、
透過光照明ユニットの外装体の上面部に、透過光照明ユニットの内部に配置された光源から光学系により導かれた光を外部へ発光する窓部が設けられていることを特徴とする。
【００１２】
上記の発明では、スキャンの最中に、透過原稿ユニットの外装体に設けられた窓部が発光する。例えば、窓部の形状を利用者の興味を引くような形状としたり、あるいは光源からの光を着色透明部材を通過させて窓部へ導くことによって着色光を窓部から発光させたりすることで、スキャナの利用者を注目させることができ、利用者は発光する窓部を眺めることによって、スキャンの最中に退屈感、空白感などを感じることがなく、利用者に良好な意識を与えることができる。
【００１３】
本発明の画像読取装置は、透明原稿台の上に載置された透過原稿に対して、透明原稿台の上方に配置された透過光照明ユニットからの光を照射し、副走査方向にラインセンサを移動させながら透過原稿からの透過光をラインセンサに結像させて副走査方向と直交する主走査方向に光学像を読み取り、該光学像を電気信号に変換する画像読取装置であって、
透過光照明ユニットの外装体の一部または全体が光透過性樹脂材で形成され、前記光透過性樹脂材で形成された部位が、透過光照明ユニットの内部に配置された光源からの光が透過することにより外部へ発光することを特徴とする。
【００１４】
上記の発明では、スキャンの最中に、透過原稿ユニットの外装体を構成する光透過性樹脂材で形成された部位が発光する。例えば、光源からの光を着色樹脂材を透過させて外部へ導くことによって着色光を外部へ発光させることで、スキャナの利用者を注目させることができ、利用者は発光する外装体を眺めることによって、スキャンの最中に退屈感、空白感などを感じることがなく、利用者に良好な意識を与えることができる。
【００１５】
本発明の画像読取装置は、透明原稿台の上に載置された透過原稿に対して、透明原稿台の上方に配置された透過光照明ユニットの副走査方向へ移動可能な線状光源から光を照射し、該線状光源の副走査方向への移動に同期させてラインセンサを副走査方向に移動させながら透過原稿からの透過光をラインセンサに結像させて副走査方向と直交する主走査方
向に光学像を読み取り、該光学像を電気信号に変換する画像読取装置であって、
透過光照明ユニットの外装体の上面部に、線状光源が移動する副走査方向に沿って連続的または断続的に窓部が設けられ、
前記窓部は、副走査方向に移動する線状光源から該窓部へ直接に導かれるか、あるいは副走査方向に移動する線状光源からの光を該窓部へ導く光学系により線状光源から導かれた副走査方向に移動する光を外部へ発光することを特徴とする。
【００１６】
上記の発明では、スキャンが開始されると、押さえカバーまたは透過光照明ユニットの外装体に設けられた窓部が発光し、この窓部から発光する光はスキャンの進行とともにスキャンの方向（副走査方向）に移動する。
【００１７】
この移動する光はスキャナの利用者を注目させ、移動する光を眺めることによって、スキャンの最中に退屈感、空白感などを感じさせることがなく、利用者に良好な意識を与えることができる。
【発明の効果】
【００１８】
本発明の画像読取装置によれば、専用の高価な部品を付加することなく、スキャンの最中に退屈感、空白感などを感じさせずに利用者の興味を引くことができる。
【発明を実施するための最良の形態】
【００１９】
以下、図面を参照しながら本発明の実施形態について説明する。図１は、本発明の画像読取装置（スキャナ）の一実施形態を示した斜視図であり、図１（ａ）は押さえカバーを閉じた状態、図１（ｂ）は押さえカバーを開いた状態を示している。図２は、図１のスキャナの断面図、図３は、図２のＡ−Ａ線断面図である。
【００２０】
本実施形態のスキャナ１ａは、反射原稿を読み取るフラットベッド型のスキャナであり、スキャナ本体２の上部に反射原稿を上方から押さえる押さえカバー４が図２のヒンジ部１４で開閉自在に取り付けられている。
【００２１】
図２に示したように、スキャナ本体２の上面には板状のガラスからなる透明原稿台５が配置され、この上に反射原稿４１が被読み取り面を下向きにして載置される。スキャナ本体２の内部には、線状光源７、反射鏡８ａ〜８ｃ、レンズ９、およびラインセンサ１０を収納したキャリッジ６が設けられている。キャリッジ６は、ガイドシャフト１２に嵌合して案内されながら、パルスモータにより駆動されるプーリと、プーリに装着されたベルトとからなるキャリッジ移送機構１１により副走査方向Ｙに移動する。
【００２２】
蛍光管、ＬＥＤなどの線状光源７から反射原稿４１に照明された光は、反射原稿４１で反射した後、反射鏡８ａ〜８ｃによってレンズ９へ導かれ、ラインセンサ１０に反射原稿４１の光学像が結像する。ラインセンサ１０は、反射原稿４１の画像を電気的な画像信号に変換するものであり、複数個の撮像素子が副走査方向と直交する主走査方向へ一直線上に並んでいる。具体的には、ラインセンサ１０としてＣＣＤセンサなどが用いられる。
【００２３】
本発明は、ＣＣＤ方式、ＣＩＳ方式のいずれの方式であっても適用できる。また、ラインセンサをキャリッジへ搭載せずに固定配置し、反射原稿からの反射光を移動反射鏡および固定反射鏡によりラインセンサへ導くタイプのスキャナ、および画像処理回路をキャリッジに搭載するスキャナにも本発明を適用できる。
【００２４】
なお、図示を省略しているが、スキャナ本体２の内部には、ラインセンサ１０からの出力をデジタル信号に変換するＡＤ変換器、画像処理用のＡＳＩＣ、パーソナルコンピュータ等の外部機器と通信するためのＵＳＢ、ＳＣＳＩ等のインターフェース回路、光源駆動
回路、ラインバッファ、データバスなどの構成要素、すなわち光源点灯、データの格納、処理、送信などの画像読み取りに必要な機能を備えた構成要素が設けられている。
【００２５】
画像の読み取り時には、押さえカバー４を閉じて押さえマット１３で反射原稿４１を押さえた状態とし、線状光源７を点灯させ、キャリッジ６を副走査方向へ移動させながら反射原稿４１を照明し、反射原稿４１からの反射光を反射鏡８ａ〜８ｃによってレンズ９へ導き、ラインセンサ１０に反射原稿４１の光学像を結像させる。線状光源７を反射原稿４１の一端から他端まで移動させながらラインセンサ１０によって主走査方向に光学像を読み取ることにより、反射原稿４１全体の画像信号が得られる。
【００２６】
本実施形態では、図１（ａ）に示したように、押さえカバー４の外装体４ａの上面縁部に、線状光源７が移動する副走査方向に沿って断続的に窓部５１ａ〜５１ｃが設けられている。
【００２７】
これらの窓部５１ａ〜５１ｃには、副走査方向に移動する線状光源７からの光が順次導かれるようになっている。図４の拡大断面図に示したように、線状光源７の端部には導光レンズ５５が配置され、導光レンズ５５によって線状光源７からの光をキャリッジ６の外部へ上方に導くようにしている。
【００２８】
導光レンズ５５は、例えばアクリル樹脂などの透明材質の部材を用いて、線状光源７からの光を反射または屈折させて上方へ導くように適宜構成することができる。
この他、副走査方向に移動する線状光源７からの光を上方の窓部５１ａ〜５１ｃへ導くための光学系はこれに限らず、必要であれば、２種類以上のレンズからなる光学系、レンズおよび反射鏡からなる光学系などを、線状光源７と共に（キャリッジ６に設置された状態で）副走査方向へ移動するように適宜設置することができる。場合によっては、このような光学系を設置せずに線状光源７からの光を直接に上方へ取り出してもよい。
【００２９】
図１（ｂ）および図３に示したように、スキャナ本体２の外装体２ａの上面部には、押さえカバー４を閉じた際に窓部５１ａ〜５１ｃと重なる各位置に光透過部５２ａ〜５２ｃが設けられている。導光レンズ５５から上方へ出た光は、導光レンズ５５がキャリッジ６の移動により光透過部５２ａの位置に達した際に、光透過部５２ａを通り窓部５１ａから外部へ透過し、これにより窓部５１ａが発光する（図５（ａ））。さらにキャリッジ６が移動して導光レンズ５５が光透過部５２ｂの位置に達すると、導光レンズ５５から上方へ出た光は光透過部５２ｂを通り窓部５１ｂから外部へ透過し、これにより窓部５１ｂが発光する（図５（ｂ））。さらにキャリッジ６が移動して導光レンズ５５が光透過部５２ｃの位置に達すると、導光レンズ５５から上方へ出た光は光透過部５２ｃを通り窓部５１ｃから外部へ透過し、これにより窓部５１ｃが発光する（図５（ｃ））。
【００３０】
光透過部５２ａ〜５２ｃは、スキャナ本体２の外装体２ａの所定位置に、透明樹脂材などの透明部材を配置することにより構成することができる。また、導光レンズ５５からの光を窓部５１ａ〜５１ｃに通過させることができれば、必ずしも窓部５１ａ〜５１ｃに対応する形状とする必要はない。また、導光レンズ５５からの光を、透明原稿台５を通過させて窓部５１ａ〜５１ｃに導くようにすれば、光透過部５２ａ〜５２ｃを設ける必要はない。
【００３１】
窓部５１ａ〜５１ｃは、押さえカバー４の外装体４ａの所定位置に、透明樹脂材などの透明部材を配置し、この透明部材における外部へ表出した外面を窓部とすることにより構成することができる。窓部は、線状光源７が移動する副走査方向に沿って断続的に配置されていればよく、窓部の形状、数、間隔などは場合に応じて適宜に変更すればよいが、窓部の形状を、例えば星型などのようにスキャナの利用者の興味を引く形状にしたり、外装
体４ａにおける窓部の位置に配置した透明部材を着色したり、さらに走査方向に沿って色を変えるなどの方法によって、窓部から着色光を発光させることにより演色性をさらに高めることができる。例えば、窓部５１ａからの発光色と、５１ｂからの発光色と、５１ｃからの発光色とが、それぞれ異なる色となるように構成してもよい。
【００３２】
図６は、本発明の画像読取装置の他の実施形態を示した斜視図であり、図６（ａ）は押さえカバーを閉じた状態、図６（ｂ）は押さえカバーを開いた状態を示している。本実施形態のスキャナ１ｂでは、画像読取機構の基本的な構成は上述した実施形態と同様であるが、押さえカバー４の外装体４ａの上面縁部に、線状光源７が移動する副走査方向に沿って連続的に窓部５１を設けている。
【００３３】
スキャナ本体２の外装体２ａの上面部には、押さえカバー４を閉じた際に窓部５１と重なる位置に光透過部５２が設けられている。上述した実施形態と同様に、線状光源７の端部には図４に示した導光レンズ５５が設けられ、導光レンズ５５から上方へ出た光は、キャリッジ６の移動によって、光透過部５２の長手方向に移動しながら光透過部５２を透過し、さらに窓部５１から外部へ透過して発光する。すなわち、図７に示したように、反射原稿を読み取るスキャン時に、キャリッジ６に搭載された線状光源７の副走査方向への移動に伴って、線状光源７からの光が、窓部５１を副走査方向へ順次移動しながら（図
７（ａ）→図７（ｂ）→図７（ｃ））発光する。
【００３４】
図８は、本発明の画像読取装置の他の実施形態を示した斜視図である。本実施形態のスキャナ１ｃでは、画像読取機構の基本的な構成は上述した実施形態と同様であるが、線状光源７が移動する副走査方向に沿った窓部５１ａ〜５１ｃを、スキャナ本体２の外装体２ａの上面縁部に設けている。
【００３５】
上述した実施形態と同様に、線状光源７の端部には図４に示した導光レンズ５５が設けられ、導光レンズ５５から上方へ出た光は、導光レンズ５５がキャリッジ６の移動により窓部５１ａの位置に達した際に、窓部５１ａを透過して外部へ発光する。さらにキャリッジ６が移動して導光レンズ５５が窓部５１ｂの位置に達すると、導光レンズ５５から上方へ出た光は窓部５１ｂを透過して外部へ発光する。さらにキャリッジ６が移動して導光レンズ５５が窓部５１ｃの位置に達すると、導光レンズ５５から上方へ出た光は窓部５１ｃを透過して外部へ発光する。
【００３６】
図９（ａ）は、本発明の画像読取装置の他の実施形態を示した斜視図である。本実施形態のスキャナ１ｄでは、画像読取機構の基本的な構成は上述した実施形態と同様であるが、線状光源７が移動する副走査方向に沿った窓部５１ａ〜５１ｃを、スキャナ本体２の外装体２ａの側面部に設けている。
【００３７】
上述した実施形態と同様に、線状光源７の端部には導光レンズ５５が設けられているが、本実施形態では図９（ｂ）の拡大断面図に示したように、線状光源７の端部に配置された導光レンズ５５によって線状光源７からの光をキャリッジ６の外部へ側方に導くようにしている。
【００３８】
導光レンズ５５から側方へ出た光は、導光レンズ５５がキャリッジ６の移動により窓部５１ａの位置に達した際に、窓部５１ａを透過して外部へ発光する。さらにキャリッジ６が移動して導光レンズ５５が窓部５１ｂの位置に達すると、導光レンズ５５から側方へ出た光は窓部５１ｂを透過して外部へ発光する。さらにキャリッジ６が移動して導光レンズ５５が窓部５１ｃの位置に達すると、導光レンズ５５から側方へ出た光は窓部５１ｃを透過して外部へ発光する。
【００３９】
図１０は、本発明の画像読取装置（スキャナ）の他の実施形態を示した斜視図であり、図１０（ａ）は押さえカバーを閉じた状態、図１０（ｂ）は押さえカバーを開いた状態を示している。図１１は、図１０のスキャナの断面図、図１２は、図１１のＡ−Ａ線断面図である。
【００４０】
本実施形態のスキャナ１ｅは、反射原稿と、３５ｍｍフィルムなどの透過原稿の両方を読み取るタイプであり、透明原稿台５の上方に透過光照明ユニット２１が取り付けられる。透過光照明ユニット２１には、透過原稿４２を背面から照明する面発光部２４が設けられており、透明原稿台５の上に載置されたホルダ２２の枠内に載置された透過原稿４２に対して面発光部２４からの光を照射し、透明原稿台５の下方に設けられたキャリッジ６のラインセンサ１０を副走査方向に移動させながら透過原稿４２からの透過光をラインセンサ１０に結像させて主走査方向に光学像を読み取り、この光学像を電気信号に変換することによって透過原稿の画像データを得るように構成されている。
【００４１】
図１１に示したように、スキャナ本体２の透明原稿台５の上に透過原稿４２が被読み取り面を下向きにして載置される。スキャナ本体２の内部は、上述した実施形態と同様の構成であり、同一の構成要素を同一符号で示し詳細な説明を省略する。
【００４２】
透過光照明ユニット２１には、蛍光管、あるいはＲＧＢの各色に対応するＬＥＤなどの光源２５が配置され、光源２５からの光は拡散板とリフレクタとからなる光拡散板２８に入射されて面発光部２４へ面状に均一に拡散され、透過原稿４２へ面発光部２４から均一に光が照明される。
【００４３】
画像の読み取り時には、光源２５を点灯させ、面発光部２４から透過原稿４２を照明し、透過原稿４２からの透過光を反射鏡８ａ〜８ｃによってレンズ９へ導き、ラインセンサ１０に透過原稿４２の光学像を結像させる。ラインセンサ１０を透過原稿４２の一端から他端まで移動させながらラインセンサ１０によって主走査方向に光学像を読み取ることにより、透過原稿４２全体の画像信号が得られる。
【００４４】
本実施形態では、図１０〜図１２に示したように、透過光源ユニット２１の外装体２１ａの上面部に、窓部５１が設けられている。光源２５に隣接して配置された導光レンズ５５によって光源２５からの光が上方の窓部５１に導かれ、これにより窓部５１が発光する（図１３）。
【００４５】
窓部５１は、透過光源ユニット２１の外装体２１ａの所定位置から導光レンズ５５を貫通させ、導光レンズ５５の外部へ表出した外面を窓部とすることにより構成することができる。
【００４６】
導光レンズ５５は、例えばアクリル樹脂などの透明材質の部材を用いて、光源２５からの光を反射または屈折させて上方へ導くように適宜構成することができる。この他、光源２５からの光を上方の窓部５１へ導くための光学系はこれに限らず、必要であれば、２種類以上のレンズからなる光学系、レンズおよび反射鏡からなる光学系などを設置することができる。
【００４７】
窓部５１は、光源２５からの光を光学系を通じて導くことができれば、その形状、数、などは場合に応じて適宜に変更することができるが、窓部５１の形状を、例えば星型などのようにスキャナの利用者の興味を引く形状にしたり、外装体２１ａを貫通する導光レンズ５５を着色するなどの方法によって、窓部５１から着色光を発光させることにより演色性をさらに高めることができる。
【００４８】
図１４は、本発明の画像読取装置（スキャナ）の他の実施形態を示した斜視図、図１５は、図１４のスキャナの断面図、図１６は、図１４のＡ−Ａ線断面図である。本実施形態のスキャナ１ｆは、反射原稿と、３５ｍｍフィルムなどの透過原稿の両方を読み取るタイプであり、透明原稿台５の上方に透過光照明ユニット２１が取り付けられる。画像読み取りのための基本的な機構は、図１０〜図１３に示した実施形態と同様の構成であり、同一の構成要素を同一符号で示し詳細な説明を省略する。
【００４９】
本実施形態では、透過光照明ユニット２１の外装体２１ａの一部が光透過性樹脂材で形成されている。この光透過性樹脂材で形成された光透過部６１は、透過光照明ユニット２１の内部に配置された光源２５からの光がリフレクタ２７を反射してリフレクタ２７の外周から出た拡散光を透過し、これによって外部へ発光する。
【００５０】
すなわち、図１５および図１６に示したように、画像の読み取り時には、光源２５を点灯させ、光源２５からの光を拡散板２６に導入して拡散させ、面発光部２４から透過原稿４２を照明し、透過原稿４２からの透過光を反射鏡８ａ〜８ｃによってレンズ９へ導き、ラインセンサ１０に透過原稿４２の光学像を結像させる。ラインセンサ１０を透過原稿４２の一端から他端まで移動させながらラインセンサ１０によって主走査方向に光学像を読み取ることにより、透過原稿４２全体の画像信号が得られる。
【００５１】
この際、光源２５からの光がリフレクタ２７によって拡散された光は上方の光透過部６１に照射され、光透過部６１から外部へ透過して外部へ発光する（図１７）。
なお、図１８に示したように、拡散板２６の上面にリフレクタ２７を配置し、拡散板２６の側方に光源２５を設置するようにしてもよく、このような構成によっても光源２５からの光をリフレクタ２７を介して上方の光透過部６１に導くことができる。
【００５２】
本実施形態では、透過光照明ユニット２１の外装体２１ａの一部を光透過性樹脂材で形成したが、外装体２１ａの全体を光透過性樹脂材で形成してもよい。光源からの光を光透過性樹脂材に照射するために必要であれば、光源からの光を光透過性樹脂材へ照射する位置まで導くための反射鏡および／またはレンズからなる光学系を配置してもよい。
【００５３】
外装体２１ａの一部を光透過性樹脂で形成する場合、その形状、数などは場合に応じて適宜に変更することができるが、例えば星型などのようにスキャナの利用者の興味を引く形状にしたり、光透過性樹脂を着色することによって着色光を発光させることにより演色性をさらに高めることができる。光透過性樹脂材としては、例えば、ポリカーボネート樹脂、アクリル樹脂などを用いることができる。また、光透過性樹脂材に光拡散性をもたせて、光源からの光を光透過性樹脂材によって拡散させ、光透過部全体から均一な光を発光させるようにしてもよい。
【００５４】
図１９は、本発明の画像読取装置（スキャナ）の他の実施形態を示した斜視図であり、図２０は、図１９のスキャナの断面図である。なお、上述した各実施形態における部材に対応するものは同一の符号で示し、詳細な説明を省略する。
【００５５】
本実施形態のスキャナ１ｇは、反射原稿と、３５ｍｍフィルムなどの透過原稿の両方を読み取るタイプであり、透明原稿台５の上方に透過光照明ユニット２１が取り付けられる。透過光照明ユニット２１には、透過原稿４２を背面から照明する線状光源７２を搭載した投光ユニット７１が設けられている。投光ユニット７１は、例えば投光ユニット７１に取り付けられたベルトと該ベルトを回転移動させるモータなどから構成される投光ユニット移送機構７３によって副走査方向Ｙへ移動可能である。
【００５６】
投光ユニット７１を副走査方向Ｙへ移動させながら、透明原稿台５の上に載置された透
過原稿４２に対して線状光源７２からの光を照射し、透明原稿台５の下方に設けられたキャリッジ６を、投光ユニット７１の移動に同期させて副走査方向Ｙに移動させながら透過原稿４２からの透過光をラインセンサ１０に結像させて主走査方向に光学像を読み取り、この光学像を電気信号に変換することによって透過原稿の画像データを得るように構成されている。
【００５７】
本実施形態では、図１９および図２０に示したように、透過光照明ユニット２１の外装体２１ａの上面部に、副走査方向と直交する方向に並んだ３つの窓からなる窓部５１ａ〜５１ｃが設けられている。
【００５８】
線状光源７２からの光は直接に、あるいは投光ユニット７１に必要に応じて設けられたレンズ、反射鏡等からなる光学系によって上方へ導かれる。線状光源７２からの光を上方へ導く具体的な方法は、場合に応じて適宜に選択することができ、例えば、投光ユニット７１の外装体の上面に光透過部を設けたり、投光ユニット７１に反射鏡を設置して間接的に上方へ光を導いたりすることができる。
【００５９】
なお、図示した例はあくまでも概念的な構成を示したものであり、例えば線状光源７２から透過原稿４２への効率的な光照射、あるいは結像等のために必要であれば、線状光源７２の周囲に集光鏡や光拡散板を配置するなど適宜の構成とすることができる。
【００６０】
線状光源７２から上方へ向かう光は、スキャンによって投光ユニット７１が副走査方向に移動して窓部５１ａの位置に達した際に、窓部５１ａから外部へ透過し、これにより窓部５１ａが発光する（図２１（ａ））。さらに投光ユニット７１が移動して線状光源７２が窓部５１ｂの位置に達すると、線状光源７２から上方へ向かう光は窓部５１ｂから外部へ透過し、これにより窓部５１ｂが発光する（図２１（ｂ））。さらに投光ユニット７１が移動して線状光源７２が窓部５１ｃの位置に達すると、線状光源７２から上方へ向かう光は窓部５１ｃから外部へ透過し、これにより窓部５１ｃが発光する（図２１（ｃ））。
【００６１】
窓部５１ａ〜５１ｃは、透過光照明ユニット２１の外装体２１ａの所定位置に、透明樹脂材などの透明部材を配置し、この透明部材における外部へ表出した外面を窓部とすることにより構成することができる。窓部は、線状光源７２が移動する副走査方向に沿って断続的に配置されていればよく、窓部の形状、数、間隔などは場合に応じて適宜に変更すればよいが、窓部の形状を、例えば星型などのようにスキャナの利用者の興味を引く形状にしたり、外装体２１ａにおける窓部の位置に配置した透明部材を着色するなどの方法によって、窓部から着色光を発光させることにより演色性をさらに高めることができる。例えば、窓部５１ａからの発光色と、５１ｂからの発光色と、５１ｃからの発光色とが、それぞれ異なる色となるように構成してもよい。
【００６２】
また、図６および図７に示した実施形態に準じて、線状光源７２が移動する副走査方向に沿って連続的に窓部を設けるようにしてもよい。この場合には、透過原稿を読み取るスキャン時に、投光ユニット７１に搭載された線状光源７２の副走査方向への移動に伴って、線状光源７２からの光が、一つの窓部を副走査方向へ順次移動しながら発光する。
【００６３】
以上、本発明の実施形態について説明したが、本発明はこれらの実施形態に限定されることはなく、その要旨を逸脱しない範囲内において各種の変形、変更が可能である。なお、上記の実施形態ではスキャナを例として説明したが、本発明の画像読取装置は複写機であってもよく、本体内部の構成を変更すれば上述した実施形態と同様の機構で光源からの光を外装体へ導き発光させる複写機を構成することができる。複写機本体の概略構成の一例を図２２に示した。図示したように、線状光源７および反射鏡８ｄを搭載した移動体３１を副走査方向へ移動させ、線状光源７から反射原稿４１へ光を照射しながらスキャンを
行い、反射原稿４１からの反射光を反射鏡８ｄ〜８ｆ、レンズ９を通してラインセンサ１０へ結像させる。ラインセンサ１０からの画像信号は回路部３２に送られ、回路部３２からの信号によって書き込み用のレーザ３３を走査しながら感光体を帯電させたドラム３４の表面にレーザ光を照射して静電潜像を形成する。この静電潜像にトナーを吸着させ、感光体上に現像されたトナーの像を紙等に転写し、転写された像に熱を加えて定着させる。
【図面の簡単な説明】
【００６４】
【図１】図１は、本発明の画像読取装置（スキャナ）の一実施形態を示した斜視図であり、図１（ａ）は押さえカバーを閉じた状態、図１（ｂ）は押さえカバーを開いた状態を示している。
【図２】図２は、図１のスキャナの断面図である。
【図３】図３は、図２のＡ−Ａ線断面図である。
【図４】図４は、線状光源の端部周辺の拡大断面図である。
【図５】図５（ａ）〜図５（ｃ）は、副走査方向へ移動する線状光源からの光が窓部から発光する様子を示した図１のスキャナの斜視図である。
【図６】図６は、本発明の画像読取装置（スキャナ）の他の実施形態を示した斜視図であり、図６（ａ）は押さえカバーを閉じた状態、図６（ｂ）は押さえカバーを開いた状態を示している。
【図７】図７（ａ）〜図７（ｃ）は、副走査方向へ移動する線状光源からの光が窓部から発光する様子を示した図６のスキャナの斜視図である。
【図８】図８は、本発明の画像読取装置（スキャナ）の他の実施形態を示した斜視図である。
【図９】図９（ａ）は、本発明の画像読取装置（スキャナ）の他の実施形態を示した斜視図、図９（ｂ）は、線状光源の端部周辺の拡大断面図である。
【図１０】図１０は、本発明の画像読取装置（スキャナ）の他の実施形態を示した斜視図であり、図１０（ａ）は押さえカバーを閉じた状態、図１０（ｂ）は押さえカバーを開いた状態を示している。
【図１１】図１１は、図１０のスキャナの断面図である。
【図１２】図１２は、図１１のＡ−Ａ線断面図である。
【図１３】図１３は、透過光源ユニットの内部に配置された光源からの光が窓部から発光する様子を示した図１０のスキャナの斜視図である。
【図１４】図１４は、本発明の画像読取装置（スキャナ）の他の実施形態を示した斜視図である。
【図１５】図１５は、図１４のスキャナの断面図である。
【図１６】図１６は、図１５のＡ−Ａ線断面図である。
【図１７】図１７は、透過光源ユニットの内部に配置された光源からの光が光透過性樹脂材で形成された外装体の部位から発光する様子を示した図１４のスキャナの斜視図である。
【図１８】図１８は、透過光源ユニットの内部に配置された光源からの光を光透過性樹脂材で形成された外装体の部位から発光させるための他の構成を説明する図である。
【図１９】図１９は、本発明の画像読取装置（スキャナ）の他の実施形態を示した斜視図である。
【図２０】図２０は、図１８のスキャナの断面図である。
【図２１】図２１（ａ）〜図２１（ｃ）は、副走査方向へ移動する線状光源からの光が窓部から発光する様子を示した図１９のスキャナの斜視図である。
【図２２】図２２は、複写機本体の概略構成の一例を示した図である。
【符号の説明】
【００６５】
１ａ〜１ｆ  スキャナ
２  スキャナ本体
２ａ  外装体
４  押さえカバー
４ａ  外装体
５  透明原稿台
６  キャリッジ
７  線状光源
８ａ〜８ｇ  反射鏡
９  レンズ
１０  ラインセンサ
１１  キャリッジ移送機構
１２  ガイドシャフト
１３  押さえマット
１４  ヒンジ部
２１  透過原稿ユニット
２１ａ  外装体
２２  ホルダ
２４  面発光部
２５  光源
２６  拡散板
２７  リフレクタ
２８  光拡散板
３１  移動体
３２  回路部
３３  レーザ
３４  ドラム
４１  反射原稿
４２  透過原稿
５１，５１ａ〜５１ｃ  窓部
５２，５２ａ〜５２ｃ  光透過部
５５  導光レンズ
６１  光透過部
７１  投光ユニット
７２  線状光源
７３  投光ユニット移送機構
【図１】
2006246042.tif 000003
【図２】
2006246042.tif 000004
【図３】
2006246042.tif 000005
【図４】
2006246042.tif 000006
【図５】
2006246042.tif 000007
【図６】
2006246042.tif 000008
【図７】
2006246042.tif 000009
【図８】
2006246042.tif 000010
【図９】
2006246042.tif 000011
【図１０】
2006246042.tif 000012
【図１１】
2006246042.tif 000013
【図１２】
2006246042.tif 000014
【図１３】
2006246042.tif 000015
【図１４】
2006246042.tif 000016
【図１５】
2006246042.tif 000017
【図１６】
2006246042.tif 000018
【図１７】
2006246042.tif 000019
【図１８】
2006246042.tif 000020
【図１９】
2006246042.tif 000021
【図２０】
2006246042.tif 000022
【図２１】
2006246042.tif 000023
【図２２】
2006246042.tif 000024